(57)【要約】【課題】  大掛かりな装置を用いずに、簡単な作業により内部で生育中の養殖魚を赤潮から隔離し、赤潮による養殖魚への被害を低減あるいは防止し得る生簀１を提供する。【解決手段】  生簀１は、筒状の側周部網体２２、及び側周部網体２２の上端縁２２ａに連結された上部網体２４を含む袋状の網生簀本体２と、側周部網体２２に取付けられ、水面から所定の距離にて位置するよう、複数の浮子５ａにより支持されている側部枠体４と、側周部網体２２の上部分及び／又は上部網体２４に取付けられ、各浮子５ａに着脱自在に係止される複数の係止具６２と、を有する。側部枠体４は、生簀１を養殖水域に吊支した際、赤潮の発生領域より下方となる位置に取付けられている。上部網体２４は、係止具６２が浮子５ａに係止されている状態では水面近傍に位置し、係止具６２が浮子５ａから外されると下方に移動し側部枠体４に規制された箇所に留まるよう構成される。【選択図】  図３
2019050803.tif 000002
【特許請求の範囲】
【請求項１】
内部で養殖魚を生育するために用いる養殖用の生簀であって、
筒状の側周部網体、および該側周部網体の上端縁に連結された上部網体を含む袋状の網生簀本体と、
前記側周部網体に取り付けられ、水面から所定の距離をもって位置するよう、複数の浮子によって支持されているストッパと、
前記側周部網体の上部分および／または前記上部網体に取り付けられ、前記各浮子に着脱自在に係止される複数の係止具と、を有し、
前記ストッパは、前記生簀を養殖水域に吊支した際、赤潮等水中懸濁物の発生領域より下方となる位置に取り付けられており、
前記上部網体は、各係止具が前記浮子に係止されている状態において水面近傍に位置するが、各係止具が前記浮子から外されると下方に移動して前記ストッパに規制された箇所に留まるよう構成したことを特徴とする生簀。
【請求項２】
各係止具が浮子から外された状態において、各係止具が上部網体の上面に載置されるように構成したことを特徴とする請求項１に記載の生簀。
【請求項３】
上部網体は、給餌部を有しており、
該給餌部は、上部網体に形成された開口部と、下端縁が開口部の開口端縁に連結された筒状網体とを有し、
開口部と筒状網体の境界部分に重りが取り付けられていることを特徴とする請求項１または２に記載の生簀。
【請求項４】
ストッパを、前記側周部網体に取り付けられた側部枠体と、上部網体に取り付けられた上部枠体とで構成し、該上部枠体が前記側部枠体に係止されることにより前記上部網体の位置を規制するように構成したことを特徴とする請求項１〜３のいずれかに記載の生簀。
【請求項５】
ストッパを、前記側周部網体に取り付けられた側部枠体で構成し、該側部枠体によって前記側周部網体の下方への移動と、前記上部網体の位置を規制するように構成したことを特徴とする請求項１〜３のいずれかに記載の生簀。
【請求項６】
請求項１〜５のいずれかに記載の生簀を用い、該生簀の各係止具を浮子に係止した状態で養殖水域に吊支し、前記生簀内で養殖魚を生育する養殖方法において、
水面付近に赤潮等水中懸濁物が発生あるいはその発生が予測されるとき、前記生簀の各係止具を浮子から外し、側周部網体のうちストッパよりも水深方向上方の部分を畳み、水面近傍に位置する上部網体を前記赤潮等水中懸濁物の発生領域よりも下方に移動させることにより、生簀内で生育中の養殖魚を前記赤潮等水中懸濁物から退避させることを特徴とする養殖方法。
【発明の詳細な説明】
【技術分野】
【０００１】
本発明は、幼魚から成魚へと成長する養殖魚の生育に用いる海洋設置物としての、養殖用の生簀と、これを用いた養殖方法と、に関する。
【背景技術】
【０００２】
近年、植物性プランクトンの異常増殖による赤潮の発生によって、海洋設置物としての網生簀内で養殖されている魚類の漁獲量が激減してしまい、海面養殖における養殖業が甚大な被害を受けている。
【０００３】
そこで、従来より海面養殖に用いられる網生簀において、赤潮によって網生簀内で養殖中の魚類が死滅してしまうことを防止するための対策として、例えば、網生簀を海中の適当な深さに設置することにより網生簀内で養殖している魚類への赤潮被害を低減させ、必要に応じて海面に浮上させる浮沈式の養殖用生簀が知られている（特許文献１）。また、網生簀の内部と外部の水を着脱自在な不透水性のシート等によって分離することにより、赤潮が網生簀内部に侵入することを防ぐ養殖用網生簀の保護装置も知られている（特許文献２）。
【先行技術文献】
【特許文献】
【０００４】
【特許文献１】特開平７−７６号公報
【特許文献２】特開平１０−１７８９６４号公報
【発明の概要】
【発明が解決しようとする課題】
【０００５】
しかしながら、特許文献１による技術では、複数のフロートを用いて各フロートの浮力を調整することにより養殖生簀全体を海中と海面との間に浮沈させる必要があるため、作業に手間がかかる、との欠点があった。特許文献２による技術では、不透水性のシート等によって網生簀を覆うために網生簀の外周に不透水性のシートを案内するガイド枠を設置する必要があり、装置自体が大掛かりになる、との欠点があった。
【０００６】
本発明は、大掛かりな装置を用いることなく、簡単な作業によって内部で生育中の養殖魚を赤潮から隔離させ、これにより、赤潮による養殖魚への被害を低減あるいは防止することができる養殖用の生簀と、これを用いた養殖方法と、を提供することを目的とする。
【課題を解決するための手段】
【０００７】
以下では、本発明の理解を容易にするために、本発明の実施形態を示す図面に対応する符号を付して説明するが、これに限定されるものではない。
【０００８】
上記目的を達成するために、本発明に係る生簀（１）は、内部で養殖魚を生育するために用いるものであり、
筒状の側周部網体（２２）、および側周部網体（２２）の上端縁（２２ａ）に連結された上部網体（２４）を含む袋状の網生簀本体（２）と、
側周部網体（２２）に取り付けられ、水面から所定の距離をもって位置するよう、複数の浮子（５ａ）によって支持されているストッパと、
側周部網体（２２）の上部分および／または上部網体（２４）に取り付けられ、各浮子（５ａ）に着脱自在に係止される複数の係止具（６２）と、を有する。
そして、ストッパは、生簀（１）を養殖水域に吊支した際、赤潮等水中懸濁物（以下単に「赤潮」と言うこともある。）の発生領域より下方となる位置に取り付けられており、かつ、上部網体（２４）は、係止具（６２）が浮子（５ａ）に係止されている状態において水面近傍に位置するが、係止具（６２）が浮子５ａから外されると下方に移動してストッパに規制された箇所に留まるよう構成したことを特徴とする。
【０００９】
本発明に係る生簀（１）によれば、赤潮発生前の通常の状態において、各係止具（６２）が浮子（５ａ）に係止されて、上部網体（２４）が水面に位置するようになっている。
また、赤潮の発生が予想された際には、各係止具（６２）を浮子（５ａ）から外すことにより、側周部網体（２２）におけるストッパより上方部分が上部網体（２４）の下方において折り畳まれながら上部網体（２４）がストッパの位置まで移動する。これにより、水底に対する生簀（１）全体の位置を移動（生簀（１）の底部分を水底方向へ近づける）させることなく、上部網体（２４）を赤潮発生領域よりも下方に位置させることができる。
【００１０】
本発明に係る生簀（１）において、各係止具（６２）が浮子（５ａ）から外された状態において、各係止具（６２）が上部網体（２４）の上面に載置されるように構成するとよい。これにより、各係止具（６２）が重りの機能を果たし、上部網体（２４）を確実に赤潮発生領域よりも下方に移動させることができる。
【００１１】
本発明に係る生簀（１）において、上部網体（２４）は、給餌部（７）を有しており、給餌部（７）が、上部網体（２４）に形成された開口部（７２）と、下端縁（７４ｂ）が開口部（７２）の開口端縁に連結された筒状網体（７４）とを有し、開口部（７２）と筒状網体（７４）の境界部分に、重りが取り付けられていれもよい。これにより、上部網体（２４）の中央部分も水流等によって浮き上がることなく確実に赤潮発生領域の下方に位置させることができる。
【００１２】
本発明に係る生簀（１）において、ストッパを、側周部網体（２２）に取り付けられた側部枠体（４）と、上部網体（２４）に取り付けられた上部枠体（６）とで構成し、上部枠体（６）が側部枠体（４）に係止されることにより上部網体（２４）の位置を規制してもよい。または、ストッパを、側周部網体（２２）に取り付けられた側部枠体（４）で構成し、側部枠体（４）によって側周部網体（２２）の下方への移動を規制するとともに、上部網体（２４）の位置を規制することもできる。
【００１３】
本発明に係る養殖方法は、本発明に係る上記生簀（１）を用い、該生簀（１）の各係止具（６２）を浮子（５ａ）に係止した状態で養殖水域に吊支し、生簀（１）内で養殖魚を生育するものである。そして、養殖水域の水面付近に赤潮が発生あるいはその発生が予測されるとき、生簀（１）の各係止具（６２）を浮子（５ａ）から外し、側周部網体（２２）のうちストッパよりも水深方向上方の部分を畳み、水面近傍に位置する上部網体（２４）を赤潮の発生領域よりも下方に移動させる。これにより、生簀（１）内で生育中の養殖魚を赤潮から退避させることを特徴とする。
【発明の効果】
【００１４】
本発明に係る生簀を用いた養殖方法によれば、係止具を浮子から外すという簡単な作業によって上部網体を赤潮領域よりも下方に移動させることができる。これにより、網生簀本体の内部にいる養殖魚を赤潮の発生領域から隔離することができ、赤潮による養殖魚への被害を容易に低減あるいは防止することができる。
赤潮等水中懸濁物とは、海、湖沼、河川などの開放水面または水面近くに滞留する懸濁物のことであり、赤潮と呼ばれる大量に発生したプランクトンや、火山灰その他の懸濁性のある有機質または無機質の粒子、などが含まれる。
【図面の簡単な説明】
【００１５】
【図１】本発明に係る生簀の一例と通常時（赤潮発生前）の水中への設置状態を示す概略斜視図である。
【図２】図１のＡ−Ａ線に沿った断面図である。
【図３】図１の生簀の、赤潮発生後の状態を示す概略斜視図である。
【図４】図３のＢ−Ｂ線に沿った断面図である。
【図５】本発明に係る生簀の他の例を示す断面図である。
【発明を実施するための形態】
【００１６】
以下、赤潮等水中懸濁物として、海などの水面近くに滞留する赤潮を例示する。
まず、図１〜５に基づき、本発明に係る生簀の構成例を説明する。
【００１７】
＜第１実施形態＞
図１及び２に示すように、本発明の一例に係る生簀１は、水中での魚の養殖などに用いられるものであり、本例では、袋状の網生簀本体２と、該網生簀本体２が取り付けられる側部枠体４（ストッパの一例）および上部枠体６と、を有する。
【００１８】
網生簀本体２は、筒状（本例では角筒状）の側周部網体２２と、該側周部網体２２の上端付近に連結された平面状の上部網体２４と、前記側周部網体２２の下端縁に連結された平面状の底部網体２６と、を備えている。網生簀本体２は、本例では、略六面体状（平面視において正方形状または矩形状）に形成されているが、これに限定される趣旨ではない。他の多角面体状や、円柱体（平面視において真円形状または楕円形状）であってもよい。また網生簀本体２が袋状である限り、平面状の底部網体２６を省略した形状であってもよい。
【００１９】
本例では、側周部網体２２の上端縁２２ａより下の位置に、本発明のストッパの一例としての側部枠体４が取り付けられている。側部枠体４の取り付け位置は、本例の生簀１を養殖水域に吊支（設置）した際、赤潮の発生領域より下方であることが必要である。詳細は後述する。
本例の側部枠体４は、支持具（ロープや細ワイヤーなど）３を介して、水面に浮かぶ複数の浮子（円柱状フロート）５ａに固定支持され、これにより、各浮子５ａ（すなわち水面）から水底方向へ所定の距離をもって位置するようになっている。
【００２０】
本例の浮子５ａは、側周部網体２２の上端縁２２ａ外周面に沿って環状に並列配置されているが、この構成に限定する趣旨ではない。
【００２１】
上部網体２４の全周縁部には、上部枠体６が取り付けられている。上部枠体６には、側周部網体２２の上端縁２２ａが取り付けられており、これにより上部網体２４と側周部網体２２は、上部枠体６を介して連結されている。本例の上部枠体６は、側部枠体４と同一の形状及び大きさに形成されている。
【００２２】
上部網体２４の中央付近には、給餌部７が形成されている。給餌部７は、図３及び４に示すように、上部網体２４に形成された開口部（本例では矩形状）７２と、筒状（本例では角筒状）の網体７４とを有しており、筒状網体７４の上端縁７４ａは、水面に浮かぶ複数の浮子（球状フロート）５ｂに連結され、筒状網体７４の下端縁７４ｂは、開口部７２の開口端縁に連結されている。開口部７２の開口端縁には開口枠体９が取り付けられており、上部網体２４は上部枠体６と開口枠体９との間で展張されている。
なお、筒状網体７４の上方大気側は、常時、網生簀本体２内へ餌を供給可能とするため開放されていてもよいが、好ましくは、餌を供給する場合にだけ開放され、その他の場合、閉じるように構成した網蓋（図示省略）が設置される。こうした開閉自在な網蓋を筒状網体７４の上方大気側に設置することで、養殖魚の逃げ出し防止や鳥害対策など種々の効果が期待できる。
【００２３】
筒状網体７４の水深方向の長さは、側周部網体２２の上端縁２２ａから側部枠体４が取り付けられる位置の長さと同一に形成されている。そして、筒状網体７４は、上部網体２４が水面近くに位置する際（赤潮発生前の通常時）には、上部網体２４の開口部７２の周縁部分に折り畳まれて配置されている。
【００２４】
本例の上部枠体６には、フック等からなる複数の係止具６２が取り付けられている。上部枠体６を水面方向へ引き上げつつ各係止具６２をそれぞれ浮子５ａに係止させることによって、網生簀本体２は各浮子５ａに支持される。本例の各浮子５ａ，５ｂは、水面に浮かび、かつ各浮子５ａは、上部網体２４の周縁部に位置するように連結具（ロープなど）１１を介して相互に連結されている。これにより、網生簀本体２は、通常時（赤潮発生前）において図２に示すように、各係止具６２を介して各浮子５ａに支持されて、上部網体２４が水面近くに位置するように設置される。
【００２５】
なお、本例の各係止具６２は、上部枠体６を介して、側周部網体２２および上部網体２４に取り付けられているが、本発明はこれに限定されるものではなく、側周部網体２２の上部分および／または上部網体２４に取り付けられていればよい。また、本例の各係止具６２は、側部枠体４を支持する各浮子５ａに係止されているが、本発明はこれに限定されず、側部枠体４を支持する浮子と、係止具６２が係止される浮子と、を別々にしてもよい。
【００２６】
次に、作用を説明する。
本例の生簀１において、各係止具６２を浮子５ａから外し、上部網体２４上に載置すると、図３及び４に示すように、上部網体２４は自身の自重によって下方（水中）に移動する。さらに、本例の上部網体２４は、上部網体２４上に載置された各係止具６２及び上部枠体６の重量によっても下方（水中）に移動するようになっており、このように各係止具６２及び上部枠体６は重りとしても機能する。
【００２７】
また、上部網体２４の下方（水中）への移動にともなって、上部網体２４の周縁部に連結された側周部網体２２における側部枠体４より上方部分は、上部網体２４の下方において網生簀本体２の内部に折り畳まれながら下方（水中）に移動するとともに、筒状網体７４は、下端縁７４ｂが上部網体２４の開口端縁に引っ張られて下方に移動し、筒状となって水中に配置される。上部網体２４は、側部枠体４の位置まで移動すると、上部枠体６が側部枠体４に係止され、上部枠体６が側部枠体４よりも下方（水底方向）へ移動することが規制されることにより止まるとともに、筒状網体７４が伸びきると、下方（水底方向）への移動が止まるようになっている。このように、側部枠体４および筒状網体７４は、上部網体２４が下方に移動する際の位置を規制するストッパとして機能する。また、上部網体２４の中央部分は、開口枠体９の重量によっても下方に移動するようになっており、このように開口枠体９は重りとしても機能する。
【００２８】
ここで、赤潮は、水面近くの水深の浅い領域（主に水面から水深１ｍ程度）で発生すること、また、発生した赤潮は、その生物種によっては夜間に垂直移動する場合があること、などが分かっている。特に、赤潮を構成する生物のうち、ラフィド藻類のシャットネラ属（黄褐色で遊泳性の単細胞生物）は昼夜で垂直移動して水深７〜１０ｍ程度にまで移動する。そこで、シャットネラ属を主体とする赤潮の発生可能性が高い場合、側部枠体４が側周部網体２２に取り付けられる位置は、側部枠体４がストッパとして機能し、上部網体２４の位置を規制するにあたり、上部網体２４が、赤潮が発生する水深、及び移動し得る水深より水底側下方（水面から例えば水深１０〜１５ｍ程度）に位置するよう考慮して設定される。
本実施形態における生簀１においては、上部枠体６が側部枠体４に係止されることにより上部網体２４が側部枠体４の直ぐ上に位置する構成であり、側部枠体４が側周部網体２２に取り付けられる位置は、水面から例えば水深１０〜１５ｍ程度とする。ただし、本発明において、側部枠体４が側周部網体２２に取り付けられる位置は、水面下の水深１０〜１５ｍに限定されるものではなく、発生が予測される赤潮の生物種に応じて、適宜、設定することができる。
赤潮構成生物としては、ラフィド藻類のシャットネラ属のほか、同じくラフィド藻類のヘテロシグマ・アカシオや、珪藻類（例えば、キートケロス属、スケルトネマ・コスタツム、リゾソレニア属、タラシオシラ属など）、渦鞭毛藻類（例えば、アレキサンドリウム属、ギムノディニウム属、ヘテロカプサ・サーキュラリスカーマ、カレニア属など）、などが挙げられる。
【００２９】
また、上部枠体６には、桟橋や各浮子５ａに一端がくくり付けられた図示しないロープの他端が取り付けられており、このロープを巻き取ることにより上部網体２４を水面まで引き上げることができるようになっている。ロープの巻き取り手法は、特に制限されず、例えば、作業者が手で引っ張りながら行ってもよく、また、船に設置のウインチを用いて行ってもよい。そして、各係止具６２を各浮子５ａに再度係止させることにより、上部網体２４が水面に位置するように保持される。
【００３０】
本例の生簀１を用いた養殖方法によれば、本例の生簀１の各係止具６２を浮子５ａに係止した状態で養殖水域に吊支（設置）し、生簀１内で養殖魚の生育が行われる。
赤潮発生前の通常時では、各係止具６２は浮子５ａに係止され、上部網体２４は水面付近に位置する。
一方、異常時（養殖水域の水面付近に赤潮が発生し、あるいはその発生が予測された際）には、生簀１の各係止具６２を浮子５ａから外す。これにより、側周部網体２２のうち側部枠体４よりも水深方向上方の部分が上部網体２４の下方において折り畳まれながら上部網体２４が側部枠体４の位置まで移動する。
このとき、側部枠体４の取り付け位置が、生簀１を養殖水域に吊支（設置）した際、赤潮の発生領域より下方であるため、水底に対する生簀１全体の位置を移動（生簀１の底部網体２６位置を水底方向へ近づける）することなく、水面近傍に位置していた上部網体２４を赤潮の発生領域よりも下方に位置させることができる。
【００３１】
すなわち、本例の生簀１を用いた養殖方法は、生簀１の各係止具６２を浮子５ａから外すという簡単な作業によって上部網体２４を赤潮領域よりも下方に移動させることができ、これにより網生簀本体２の内部で生育中の養殖魚を赤潮発生領域から隔離する（または退避させる）ことができ、赤潮による養殖魚への被害を容易に低減あるいは防止することができる。
【００３２】
また、本例によれば、上部枠体６に取り付けられた各係止具６２を上部網体２４上に載置して上部網体２４と一緒に水中へ沈めることにより、各係止具６２が重りの機能を果たすので、これにより上部網体２４を確実に赤潮の発生領域よりも下方へ移動させることができる。
【００３３】
また、本例によれば、上部網体２４が上部枠体６と開口枠体９との間において展張されているので、上部網体２４の周縁部分上に各係止具６２を載置して上部網体２４を一緒に下方に移動させる際に、上部網体２４の中央部分も確実に赤潮発生領域の下方に移動させることができる。
【００３４】
また、本例において、上部枠体６を側部枠体４に係止させることにより、上部枠体６および側部枠体４を、上部網体２４の位置を規制するストッパとして機能させることができる。
【００３５】
また、本例において、上部枠体６、開口枠体９、各係止具６２を、上部網体２４が下方に移動している状態において上部網体２４が上方に浮かんできてしまうことを防止する重りとして機能させることもできる。これにより、上部網体２４を赤潮発生領域の下方に確実に位置させることができる。
【００３６】
なお、本例では、各係止具６２が上部枠体６に取り付けられた状態で上部網体２４を下方に移動させるようになっているが、上部網体２４の自重、上部枠体６、開口枠体９によって上部網体２４が上方に浮かんできてしまうことを防止することができる場合には、上部網体２４を下方に移動させるにあたり各係止具６２を上部枠体６から外すようにしてもよい。
【００３７】
＜第２実施形態＞
図５に示すように、本発明の他の例に係る生簀１ａは、第１実施形態に係る生簀１（図１〜４）における上部枠体６を備えておらず、各係止具６２は上部網体２４および側周部網体２２の連結部に取り付けられている。そして、本例の生簀１ａは、各浮子５ａから各係止具６２が外されると、上部網体２４と側周部網体２２の側部枠体４より上方が各網体２２，２４の自重によって下方に移動するようになっている。
【００３８】
また、本例においても、各係止具６２は上部網体２４上に載置されることにより、上部網体２４を下方に移動させる際の重りとして機能する。さらに、側周部網体２２における側部枠体４の取り付け位置より上方部分は、側部枠体４の取り付け位置を軸として網生簀本体２の内部に折り畳まれてさらに下方に移動し、側部枠体４に規制されて止まり、これとともに上部網体２４の下方への移動も止まるようになっている。このように、本例においても、側部枠体４は、上部網体２４の、水中での位置を規制するストッパとして機能する。
【００３９】
次に、作用を説明する。
本例の生簀１ａにおいては、側周部網体２２が側部枠体４の取り付け位置を軸として網生簀本体２の内部に折り畳まれながら側部枠体４よりもさらに下方に移動する。これにともない、側周部網体２２の上端縁２２ａに連結されている上部網体２４は、水面から側部枠体４の取り付け位置までの距離のおおよそ２倍の距離の深さまで移動する。このような構成において、側部枠体４が側周部網体２２に取り付けられる位置は、上部網体２４が、赤潮が発生する水深、及び移動し得る水深より水底側下方に位置するように考慮して、水面から例えば水深５〜７．５ｍ程度とする。
【００４０】
また、給餌部７における筒状網体７４の水深方向の長さは、水面から側部枠体４が取り付けられた位置までの距離の２倍前後の長さに形成される。
【００４１】
本例の生簀１ａによっても、第１実施形態の生簀１（図１〜４）と同様の作用効果を奏することができる。
【００４２】
＜第３実施形態＞
本発明の他の例に係る生簀は、その給餌部（図示省略）の構成が、第１実施形態の給餌部７（図３及び４）と異なり、その他の構成は第１実施形態と同一である。なお、以下では、図３及び４で付された部材、符号を用いて、本例の給餌部の説明をする。必要により第１実施形態の説明も参照されたい。
【００４３】
本例の給餌部は、第１実施形態の給餌部７における筒状網体７４の、浮子５ｂに対する上端縁７４ａの連結が着脱自在であることが必須である。その結果、浮子５ｂに取り付けた筒状網体７４の上端縁７４ａを浮子５ｂから外し、かつ上部枠体６に取り付けた各係止具６２を浮子５ａから外した場合、上部網体２４とともに自身の自重によって筒状網体７４も下方へ移動し、両者ともに水中に配置されるようになっている。
【００４４】
つまり、本例の給餌部を含む生簀を用いた場合、赤潮発生前の通常時であろうと、異常時（赤潮の発生時あるいはその発生が予測される際）であろうと、給餌部７における筒状網体７４の上端縁７４ａが常に水面付近に位置される第１実施形態と比較して、筒状網体７４の上端縁７４ａは、通常時には水面付近に配置されるが、異常時には下方へ移動し水中へ配置されうるように構成されている。したがって、本例では、第１実施形態と比較して、側部枠対４のみ（筒状網体７４は除かれる）が、給餌部７を含む上部網体２４が下方に移動する際の位置を規制するストッパとして機能することとなる。
【００４５】
本例の給餌部は、筒状網体７４の上方大気側に第１実施形態で示した網蓋を設置しない場合、筒状網体７４の上端縁７４ａ付近が巾着状となっていることが好ましい。本例の給餌部は、それ自体が、異常時には、上部網体２４とともに下方へ移動し、水中へ配置されるため、第１実施形態のごとく、上方大気側が開放されたままでは、水中へ配置された際に成育中の養殖魚が生簀から逃避してしまう恐れがある。そこで本例では、筒状網体７４の上方大気側に網蓋を設置しない場合、筒状網体７４の上端縁７４ａ付近を巾着状に構成することによって、給餌部７を下方（水中）へ移動させるに先立ち、開放されていた給餌部７の上方大気側を絞り上げて閉口させれば、下方（水中）へ給餌部７を移動させても、養殖魚の逃げ出しを防止することができることとなる。
【００４６】
本例の生簀によっても、第１実施形態の生簀１（図１〜４）と同様の作用効果を奏することができる。
【００４７】
＜その他の実施形態＞
前述の各実施形態は、本発明の理解を容易にするために記載したものであって、本発明を限定するために記載したものではない。したがって、本発明は前述の各実施形態の構成に限定されるものではなく、本発明の趣旨を逸脱しない範囲で、当業者の通常の知識に基づいて、前述の各実施形態に対し、適宜変更、改良等が加えられたものも本発明範囲に含まれることは勿論である。
【符号の説明】
【００４８】
１，１ａ…生簀
２…網生簀本体
２２…側周部網体、２２ａ…上端部
２４…上部網体
２６…底部網体
３…支持具
４…側部枠体（ストッパ）
５ａ，５ｂ…浮子
６…上部枠体、６２…係止具
７…給餌部
７２…開口部
７４…筒状網体、７４ａ…上端縁、７４ｂ…下端縁
９…開口枠体（重り）
１１…連結具
【図１】
2019050803.tif 000003
【図２】
2019050803.tif 000004
【図３】
2019050803.tif 000005
【図４】
2019050803.tif 000006
【図５】
2019050803.tif 000007